(57)【要約】      （修正有）【課題】直管型ＬＥＤランプを照明器具本体へ強固に取り付けることができ、且つ、その取付けを容易に行うことができる照明器具を提供する。【解決手段】器具本体１に取付け可能な複数のＬＥＤを実装した基板６が内蔵される直管型ＬＥＤランプであって、直管型ＬＥＤランプの器具本体への取付け面の長手方向には溝１１が形成され、溝には、溝の長手方向にスライド可能ではあるが回動しない複数の六角ナット５が配置されていることを特徴とする。【選択図】図５
0003183195.tif 000002
【実用新案登録請求の範囲】
【請求項１】
器具本体に取付け可能な複数のＬＥＤを実装した基板が内蔵される直管型ＬＥＤランプであって、前記直管型ＬＥＤランプの前記器具本体への取付け面の長手方向には溝が形成され、前記溝には、前記溝の長手方向にスライド可能ではあるが回動しない複数のナットが配置されていることを特徴とする直管型ＬＥＤランプ。
【請求項２】
前記溝は、その長手方向に直行する断面視において、前記ナットが配置される深さ方向の中央部の幅よりも開口部の幅が狭く、かつ、前記開口部の幅は前記ナットの外形寸法よりも狭いことを特徴とする請求項１に記載の直管型ＬＥＤランプ。
【請求項３】
請求項１または２に記載の直管型ＬＥＤランプを器具本体に取り付けた照明器具。
【請求項４】
前記器具本体には、前記ナットのスライドを停止する凸部が設けられており、前記凸部が前記溝内に勘合するように配置されることで、前記ナットのスライドが停止することを特徴とする請求項３に記載の照明器具。
【請求項５】
前記器具本体には、ねじを挿通可能な孔が前記凸部の近傍に設けられ、前記凸部によってスライドを停止した際の前記ナットの位置が、前記孔の位置と一致することを特徴とする請求項４に記載の照明器具。 
【考案の詳細な説明】
【技術分野】
【０００１】
本考案は、ＬＥＤを有する直管型ＬＥＤランプを光源として取り付け面に設置される照明器具に関する。
【背景技術】
【０００２】
白熱電球や蛍光灯は、その照度の高さや経済性から、一般家庭の照明用として従来より広く用いられている。しかしながら、近年、その消費電力が大きいことが問題になっている。このため、白熱電球や蛍光灯に代えて、少ない消費電力でこれらと同等の照度を得ることが可能なＬＥＤ（Ｌｉｇｈｔ  Ｅｍｉｔｔｉｎｇ  Ｄｉｏｄｅ：発光ダイオード）素子を光源として用いた照明が普及してきている。
【０００３】
蛍光灯においては、例えば細長い円筒形状（直管型）のガラス管の内部の両端に電極が設けられ、この電極間に商用電源の交流１００Ｖが印加されて発光する。このため、両端部にはそれぞれ２本のピンが設けられ、これらのピンが蛍光灯の固定具に設けられた端子に係止されることによって、蛍光灯が固定具に固定される。この際、固定具の端子には商用電源が接続され、このピンは、蛍光灯に対する通電と、蛍光灯の機械的固定の２つの役割を果たす。蛍光灯における両端部の電極とピンとは直接接続され、両端部の電極間の細長い領域がほぼ一様に発光する。
【０００４】
これに対して、ＬＥＤ照明器具において直接発光するのは、数ｍｍ角程度の小さなＬＥＤ素子である。ただし、照明器具あるいは発光領域の形態としては、蛍光灯と同様の広がりをもつことが好ましい。このため、ＬＥＤ照明器具においては、蛍光灯における直管の長手方向に対応する方向にこのＬＥＤ素子が多数配列される。また、蛍光灯とは異なり、ＬＥＤ素子は低電圧の直流で動作するのに対し、一般に普及している商用電源（交流１００Ｖ）をＬＥＤ照明器具の電源としても用いることが好ましい。このため、ＬＥＤ照明器具においては、商用電源の交流１００Ｖをこれよりも低い直流電圧に変換する電源回路も付属しているのが一般的である。更に、各ＬＥＤ素子や電源回路は動作時に発熱するため、この放熱を行うための放熱板等も用いられる。
【０００５】
こうした構成を具備するため、ＬＥＤ照明器具は、全体として蛍光灯と比べて重くなる。一方で、蛍光灯もＬＥＤ照明器具も、一般的には家屋における天井に設置される場合が多い。こうした場合において、地震等の際には特にＬＥＤ照明器具は落下しやすくなる。このため、重いＬＥＤ照明器具を充分な強度で固定することが必要となる。
【０００６】
こうした点を考慮して、特許文献１において、ＬＥＤ照明器具の取付構造が提案されている。この構造においては、蛍光灯と同様の形態の直管型のＬＥＤ照明器具本体が用いられる。このＬＥＤ照明器具本体には、スライド溝が設けられており、当該スライド溝に板付きボルトを差し込み、押さえ板をナットで締め付けることで、ＬＥＤ照明器具本体を固定するものである。
【先行技術文献】
【特許文献】
【０００７】
【特許文献１】実用新案登録第３１６７２３０号公報
【考案の概要】
【考案が解決しようとする課題】
【０００８】
しかしながら、特許文献１に係る従来のＬＥＤ照明器具の取付構造においては、板付きボルトを所定の位置に配置する際、手動で所定の位置までスライドさせなければならず、ＬＥＤ照明器具の取付けに手間がかかるという問題があった。
【０００９】
本考案は、かかる問題点に鑑みてなされたものであり、上記問題点を解決する考案を提供することを目的とする。
【課題を解決するための手段】
【００１０】
上記の課題を解決するために、本考案は、以下に掲げる構成とした。  器具本体に取付け可能な複数のＬＥＤを実装した基板が内蔵される直管型ＬＥＤランプであって、前記直管型ＬＥＤランプの前記器具本体への取付け面の長手方向には溝が形成され、前記溝には、前記溝の長手方向にスライド可能ではあるが回動しない複数のナットが配置されていることを特徴とする。
【考案の効果】
【００１１】
本考案は以上のように構成されているので、直管型ＬＥＤランプを照明器具本体へ強固に取り付けることができ、且つ、その取付けを容易に行うことができる。
【図面の簡単な説明】
【００１２】
【図１】本考案に係る照明器具を斜め下側から見た斜視図である。
【図２】本考案に係る照明器具で器具本体から直管型ＬＥＤランプが外された状態を示す斜め下側から見た斜視図である。
【図３】本考案に係る照明器具の直管型ＬＥＤランプを器具本体への取り付け側（上側）から見た平面図である。
【図４】図３の一部を拡大した拡大図である。
【図５】本考案に係る照明器具の直管型ＬＥＤランプを輪切りにした立体的な断面図である。
【図６】本考案に係る照明器具の器具本体を斜め下側から見た斜視図である。
【図７】本考案に係る照明器具の直管型ＬＥＤランプの長手方向に沿った断面図である。
【考案を実施するための形態】
【００１３】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
また、以下に示す実施の形態は、この発明の技術的思想を具体化するための例示であって、この発明の実施の形態は、構成部品の材質、形状、構造、配置等を下記のものに特定するものではない。この発明の実施の形態は、要旨を逸脱しない範囲内で種々変更して実施できる。
【００１４】
図１は、この照明器具において、直管型ＬＥＤランプ２が器具本体１に固定された際の形態を斜め下側から見た斜視図である。ここで、上側（図中矢印）とは、実際にこの照明器具が使用される際の鉛直方向上側である。器具本体１には２本の直管型ＬＥＤランプ２が固定されている。  
【００１５】
また、図２は図１に示す器具本体１から直管型ＬＥＤランプ２が外された状態を示す図であり、照明器具を斜め下側から見た斜視図である。直管型ＬＥＤランプ２は、ねじによって器具本体１に取付けられ、図１のように固定される。この取付け部分に関して、直管型ＬＥＤランプ２及び器具本体１のそれぞれについて、以下に詳述する。
【００１６】
図３は、直管型ＬＥＤランプ２の器具本体１への取り付け側（上側）から見た平面図である。直管型ＬＥＤランプ２の長手方向には、1本の溝１１が一直線状に形成されており、当該溝１１内には、４つの六角ナット５が配置される。
【００１７】
この溝１１内の六角ナット５の配置状態を拡大したものが図４である。図４に示すように、直管型ＬＥＤランプ２に形成される溝１１の開口部の幅は、六角ナット５の外形よりも小さく、六角ナット５が溝１１から外れない構造となっている。
【００１８】
直管型ＬＥＤランプ２を輪切りにした断面図を図５に示す。基板６上にＬＥＤ素子７が搭載され、ＬＥＤ素子７が光を出射する側には透光カバー４によって、また、基板６のＬＥＤ素子７が搭載されない側には、アルミフレーム３によって、基板６全体が覆われている。
【００１９】
六角ナット５は、図５に示すように、アルミフレーム３に形成される溝１１に配置される。溝１１の断面構造を見てみると、溝１１の開口部の幅と底部の幅よりも、中央部の六角ナット５が収容される箇所の幅が広くなっている。この中央部の溝幅は、六角ナット５が溝１１内をスライド可能で、かつ、六角ナット５が回動しようとする場合でも、六角ナット５の角部が溝１１の側壁面とぶつかり、回動不能となるような隙間を設けた溝幅となっている。六角ナット５の外形寸法について述べると、対向する角部の幅は大きく（大幅部分）、対向する辺部の幅はそれよりも小さい（小幅部分）。すなわち、この中央部の溝幅は、六角ナット５の小幅部分よりも広いが、大幅部分よりは狭くなるように形成されている。なお、溝１１内における底部に設けられた空間には、六角ナット５を挿通したネジの先端部分が収容される。
【００２０】
図６は、器具本体１を拡大した斜め下方向からの斜視図である。図６に示すように、器具本体１には、２本の直管型ＬＥＤランプ２が搭載される、２つのＬＥＤランプ搭載部８が設けられている。１つのＬＥＤランプ搭載部８に対して4つの爪９が設けられていることがわかる。この爪９は、器具本体１を構成する筐体の一部を切り欠いて、直管型ＬＥＤランプ２が搭載される側へ折り曲げることによって形成している。この爪９の近傍の器具本体１には、ネジを挿通する孔１０が爪９ごとに設けられている。この爪９により、六角ナット５のスライドを停止させ、六角ナット５にネジを挿通させることで、器具本体１と直管型ＬＥＤランプ２が固定される。そのため、この爪９は、アルミフレーム３に形成される溝１１に嵌る大きさ、すなわち当該溝１１の開口部の幅よりも小さい幅とすることが必要である。また、爪９の数は、六角ナット５の数と同じである。
【００２１】
直管型ＬＥＤランプ２を器具本体１に固定する際、まず、直管型ＬＥＤランプ２に形成された溝１１内の六角ナット５が、爪９毎または器具本体１に形成された孔１０毎に１つ組み合わされるように配置する。この場合、直管型ＬＥＤランプ２においては、器具本体１に孔１０が形成された側、すなわち、図６に示すところの各爪９の右側に１つの六角ナット５が配置されるように、六角ナット５をあらかじめスライドさせておく。このとき、溝１１の対向する側壁の一方において、各爪９の右側に１つの凹み部を設けることで、当該凹み部に六角ナット５が収まるようにして、各爪９の右側に１つの六角ナットを配置することもできる。そして、各爪９の右側に１つの六角ナット５が配置された状態で、各爪９を直管型ＬＥＤランプ２の溝１１と勘合させて直管型ＬＥＤランプ２を搭載する。
【００２２】
この際、各爪９の右側に1つの六角ナット５が配置されていれば良く、器具本体１の孔１０と六角ナット５の位置は、ずれていて構わない。この状態で、直管型ＬＥＤランプ２及び器具本体１の右側端部を持ち上げるように傾けると、図７に示すように、六角ナット５は当該爪９の位置までスライドし、そこで停止する。このとき、六角ナット５が停止した位置と、器具本体１に設けられた孔１０の位置が一致するため、全ての六角ナット５が器具本体１に設けられた全ての孔１０に同時に位置決めすることが可能である。そのため、直管型ＬＥＤランプ２を器具本体１へ取り付ける際の生産性が向上することとなる。
【００２３】
なお、上記実施例においては、器具本体１の一部を切り欠き、当該部分を直管型ＬＥＤランプ２が搭載される側に折り曲げるようにして六角ナット５のスライドを停止させる爪９を形成したが、他の方法であっても構わない。例えば、当該爪９の代わりに、器具本体１に凸部を設けることで六角ナット５のスライドを停止することもできる。
また、上記実施例では器具本体１を傾けることで、六角ナット５をスライドさせ、器具本体１の孔１０との位置決めを行ったが、これに限られるものではない。例えば、直管型ＬＥＤランプ２の溝１１内の一方向から圧縮空気を送り込むことによっても六角ナット５をスライドさせることができる。
また、上記実施例では、六角ナットで説明してきたが、大幅部分と小幅部分を有するナットであればよく、四角形や八角形などの多角形のナットを使用することもできる。
【符号の説明】
【００２４】
１  器具本体２  直管型ＬＥＤランプ３  アルミフレーム４  透光カバー５  六角ナット６  基板７  ＬＥＤ素子８  ＬＥＤランプ搭載部９  爪１０  孔１１  溝 
【図１】
0003183195.tif 000003
【図２】
0003183195.tif 000004
【図３】
0003183195.tif 000005
【図４】
0003183195.tif 000006
【図５】
0003183195.tif 000007
【図６】
0003183195.tif 000008
【図７】
0003183195.tif 000009